【手続補正書】
【提出日】平成19年2月5日(2007.2.5)
【手続補正１】
【補正対象書類名】明細書
【補正対象項目名】特許請求の範囲
【補正方法】変更
【補正の内容】
【特許請求の範囲】
【請求項１】信用ハードウェア・モジュールと、
複数のさらなるハードウェア・モジュールと、
それにより前記ハードウェア・モジュールが互いに通信することができる共用通信インフラストラクチャと、
前記共用通信インフラストラクチャとは異なる第１の通信経路と、を備え、該第１の通信経路によって、前記さらなるハードウェア・モジュールのうちの第１のものは、他の前記さらなるハードウェア・モジュールによって盗聴される可能性のない前記信用ハードウェア・モジュールと直接通信することができ、一方で、さらなるハードウェア・モジュールのうちの他のどれともそれによって直接通信することはできない、コンピューティング装置。
【請求項２】前記信用ハードウェア・モジュールおよび前記第１のさらなるハードウェア・モジュールは、前記第１の通信経路を介する直接の通信に参加するそれぞれのコンピューティング・エンジンをそれぞれ含む、請求項１に記載のコンピューティング装置。
【請求項３】前記第１のハードウェア・モジュールがデータの操作のリクエストを前記信用ハードウェア・モジュールに供給するよう動作することができ、
その様なリクエストに応答して、前記信用ハードウェア・モジュールがレスポンスを生成し、前記共用通信インフラストラクチャを介してではなく、前記第１の通信経路を介して前記第１のさらなるハードウェア・モジュールに該レスポンスを供給する、請求項１又は２に記載のコンピューティング装置。
【請求項４】前記信用ハードウェア・モジュールは、許可することができる動作および／または許可することができない動作に関するポリシー情報を記憶するための手段を含み、該ポリシー情報を参照して、前記レスポンスを生成するよう動作することができる。請求項３に記載のコンピューティング装置。
【請求項５】前記信用ハードウェア・モジュールは、暗号および／または解読鍵を生成し、前記共用通信インフラストラクチャを介してではなく、前記第１の通信経路を介して前記第１のさらなるハードウェア・モジュールにその鍵を供給するよう動作することができる、請求項１乃至４のいずれかに記載のコンピューティング装置。
【請求項６】前記第１のさらなるハードウェア・モジュールは、前記共用通信インフラストラクチャを介して通信されるデータの暗号化及び解読のための鍵を使用するよう動作することができる、請求項５に記載のコンピューティング装置。
【請求項７】前記信用ハードウェア・モジュールは、チャレンジを生成し、前記第１の通信経路を使用して設定された暗号化を使用して、前記第１の通信経路を介してまたは前記共用通信インフラストラクチャを介して前記第１のさらなるハードウェア・モジュールに該チャレンジを供給する、請求項１乃至６のいずれかに記載のコンピューティング装置。
【請求項８】前記チャレンジに応答して、前記第１のさらなるハードウェア・モジュールがレスポンスを生成し、前記第１の通信経路を使用して設定された暗号化を使用して、該第１の通信経路を介してまたは前記共用通信インフラストラクチャを介して、前記信用ハードウェア・モジュールに該レスポンスを供給し、
前記信用ハードウェア・モジュールが生成する前記装置の完全性測定規準を生成する際に、前記レスポンスを使用するよう動作することができる、請求項７に記載のコンピューティング装置。
【請求項９】前記第１のさらなるハードウェア・モジュールが私有のデータのためのゾーンおよび非私有のデータのためのゾーンを有し、
前記第１のさらなるハードウェア・モジュールが、前記共用通信インフラストラクチャを介してではなく、前記第１の通信経路を介して、前記私有データ・ゾーンから／へデータを供給および／または受信するよう動作することができる、請求項１乃至８のいずれかに記載のコンピューティング装置。
【請求項１０】前記第１のさらなるハードウェア・モジュールは、前記共用通信インフラストラクチャを介して、前記非私有のデータ・ゾーンから／へデータを供給および／または受信するよう動作することができる、請求項９に記載のコンピューティング装置。
【請求項１１】前記第１のさらなるハードウェア・モジュールは、前記私有データ・ゾーンと前記非私有データ・ゾーンとの間に、該私有データ・ゾーンから該非私有データ・ゾーンへのデータの通過を妨げるよう動作するインターフェースを有する、請求項９又は１０に記載のコンピューティング装置。
【請求項１２】前記第１のさらなるハードウェア・モジュールは、ネットワーク・インターフェース・モジュールである請求項１乃至１１のいずれかに記載のコンピューティング装置。
【請求項１３】前記共用通信インフラストラクチャおよび前記第１の通信経路とは異なる第２の通信経路を有し、それによって、前記さらなるハードウェア・モジュールのうちの第２のものは、他の前記さらなるハードウェア・モジュールによって盗聴される可能性のない前記信用ハードウェア・モジュールと直接通信することができ、一方で、該さらなるハードウェア・モジュールの他のいずれともそれによって直接通信することはできない、請求項１乃至１２のいずれかに記載のコンピューティング装置。
【請求項１４】前記第１のさらなるハードウェア・モジュールは、前記第１と第２のハードウェア・モジュールとの間で、前記信用ハードウェア・モジュールにデータの転送のリクエストを供給するよう動作することができ、
その様なリクエストに応答して、前記信用ハードウェア・モジュールは、レスポンスを生成し、前記共用通信インフラストラクチャではなくて、場合に応じて前記第１または第２の通信経路を介して、前記第１または第２のさらなるハードウェア・モジュールに該レスポンスを供給するよう動作することができる、請求項１３に記載のコンピューティング装置。
【請求項１５】前記信用ハードウェア・モジュールは、許可することができる転送およびまたは許可することができない転送に関するポリシー情報を記憶するための手段を有し、該ポリシー情報を参照して前記レスポンスを生成するよう動作することができる、請求項１４に記載のコンピューティング装置。
【請求項１６】適当な転送レスポンスに応答して、前記第１または第２のさらなるハードウェア・モジュールは、場合に応じて前記第１または第２の通信経路を介して、前記信用ハードウェア・モジュールにデータを供給することができ、
その様なデータの受信に応答して、前記信用ハードウェア・モジュールは、場合に応じて前記第２または第１の通信経路を介して、場合に応じて前記第２または第１のさらなるハードウェア・モジュールに該データを中継するよう動作することができる、請求項１４又は１５に記載のコンピューティング装置。
【請求項１７】前記第２のさらなるハードウェア・モジュールは、前記コンピューティング装置の主プロセッサまたは不揮発性データ記憶モジュールである、請求項１３又は１６に記載のコンピューティング装置。
【請求項１８】前記共用通信インフラストラクチャおよび他の通信経路とは異なる少なくとも第３の通信リンクを有し、それによって、前記さらなるハードウェア・モジュールのうちの少なくとも第３のものは、他の前記さらなるハードウェア・モジュールによって盗聴される可能性のない前記信用ハードウェア・モジュールと直接通信することができ、一方で、該さらなるハードウェア・モジュールの他のいずれともそれによって直接通信することができない、請求項１３乃至１７のいずれかに記載のコンピューティング装置。
【請求項１９】前記第２のさらなるハードウェア・モジュールは、前記装置の主プロセッサ・ユニットであり前記第３のさらなるハードウェア・モジュールは不揮発性データ記憶モジュールである、請求項１８に記載のコンピューティング装置。
【請求項２０】前記信用ハードウェア・モジュールは、前記コンピューティング装置の完全性測定基準を測定するよう適合される、請求項１乃至１９のいずれかに記載のコンピューティング装置。
【請求項２１】コンピューティング装置がコンピュータ・プラットフォームであり、前記信用ハードウェア・モジュールおよび前記複数のさらなるハードウェア・モジュールは前記コンピュータ・プラットフォーム内に物理的に含まれる、請求項１乃至２０のいずれかに記載のコンピューティング装置。
【請求項２２】前記共用通信インフラストラクチャはデータバスである、請求項２１に記載のコンピューティング装置。